(57)【特許請求の範囲】
【請求項１】
前端部を開放した座席部と該座席部の後端部に沿って起立する背凭れ部とからなり、該背凭れ部の下端両側には座席部の側部に沿って支持片を形成し、該座席部の側部乃至支持片にはガイド溝を形成し、且つ該ガイド溝に挿通するピンを取付け、また背凭れ部の下端部と座席部の後端部には背凭れ部が上記ピンを支点として起立する際に当接する第一当接部を形成し、該第一当接部には第一係合部材を設け、更に上記背凭れ部の上端乃至座席部の底部前端には背凭れ部が上記ピンを支点として倒立して座席部の前端部を塞ぐ際に当接する第二当接部を形成し、該第二当接部には第二係合部材を設けるようにしたことを特徴とする自転車における子供乗せ装置。
【請求項２】
ガイド溝の両端部には係止溝が形成された請求項1記載の装置。
【請求項３】
第一乃至第二係合部材が取付穴と該取付穴に挿通される取付金具により構成される請求項1記載の装置。
【発明の詳細な説明】
【０００１】
【発明が属する技術分野】
この発明は、荷籠を兼ねた例えば自転車の後部座席に取り付けられる子供乗せ装置に関するものである。
【０００２】
【従来の技術】
従来、特開2000-219175にも開示されているように自転車における子供後ろ乗せ装置としては、自転車の後部座席に前端部を開放した子供乗せ装置を取り付けたものが知られている。
【０００３】
【発明が解決しようとする課題】
しかし、このような自転車の後部座席に取り付けられる子供乗せ装置は子供を乗せない場合は、空のまま自転車を走行させなければならないという不都合がある。
【０００４】
そこで、この発明は子供を乗せない場合には荷籠として利用できるようにした子供乗せ装置を提供することを目的とする。
【０００５】
【課題を解決するための手段】
この発明は、上記実情に鑑み、前端部を開放した座席部と該座席部の後端部に沿って起立する背凭れ部とからなり、該背凭れ部の下端両側には座席部の側部に沿って支持片を形成し、該座席部の側部乃至支持片にはガイド溝を形成し、且つ該ガイド溝に挿通するピンを取付け、また背凭れ部の下端部と座席部の後端部には背凭れ部が上記ピンを支点として起立する際に当接する第一当接部を形成し、該第一当接部には第一係合部材を設け、更に上記背凭れ部の上端乃至座席部の底部前端には背凭れ部が上記ピンを支点として倒立して座席部の前端部を塞ぐ際に当接する第二当接部を形成し、該第二当接部には第二係合部材を設けるようにした自転車における子供乗せ装置を提案するものである。
【０００６】
【発明の実施の形態】
即ち、この発明では背凭れ部をピンを支点として回動させて座席部の後端部に沿って起立させ、背凭れ部の下端部と座席部の後端部に形成した第一当接部は第一係合部材により係合することにより子供乗せ装置として使用する。
【０００７】
また、上記係合を解除して背凭れ部をピンを支点として反対方向に回動して倒立させることにより、座席部の前端部が背凭れ部により塞がれ、更に背凭れ部の下端部と座席部の後端部に形成された第二当接部を第二係合部材により荷籠として使用できる。
【０００８】
したがって、この発明では極めて簡単な操作により自転車の後部座席に取り付けられる子供乗せ装置を荷籠にすることができるため、子供を乗せない場合には荷籠として利用できる子供乗せ装置を提供できる。
【０００９】
なお、ガイド溝の両端部に係止溝を形成すれば、背凭れ部をピンを支点として回動させて座席部の後端部に沿って起立させた後、ピンを一方の係止溝に誘導すれば、背凭れ部の揺動を防ぐことができ、子供乗せ装置の安全性が高められる。
【００１０】
また、背凭れ部をピンを支点として反対方向に回動して倒立させ、座席部の前端部を背凭れ部により塞いだ後、ピンを他方の係止溝に誘導すれば、背凭れ部の揺動を防ぐことができ、荷籠としての安全性が高められる。
【００１１】
更に、第一乃至第二係合部材を取付穴と該取付穴に挿通される例えばボルトとナットのような取付金具により構成すれば、第一当接部乃至第二当接部が確実に係合されて子供乗せ装置乃至荷籠の安全性を高めることができる。
【００１２】
【実施例】
以下、この発明を図示の実施例に基づいて詳細に説明すると、１は前端部を開放した底部２、側部3，3、後端部４から構成される座席部、５は座席部１の後端部４に沿って起立する背凭れ部である。
【００１３】
背凭れ部５の下端両側には座席部１の内側部3，3に沿って支持片6.6を形成し、更に座席部の側部3，3にはガイド溝７を形成し、支持片6，6にはガイド溝７に挿通するピン８を取り付け、これにより背凭れ部５がピン８を支点として回動して座席部１の後端部４に沿って起立させるようにする。
【００１４】
更に、背凭れ部５の下端部と座席部１の後端部４には背凭れ部５が座席部１の後端部４に沿って起立する際に当接する第一当接部9a，9bを形成し、第一当接部9a，9bには取付穴と取付穴に挿通されるボルトとナットで構成される第一係合部材10が設けられる。
【００１５】
一方、背凭れ部５がピン８を支点として反対方向に回動して倒立させて座席部１の前端部を塞ぐようにし、この際背凭れ部５の上端乃至座席部の底部前端には第二当接部11a，11bを形成し、第二当接部11a，11bには取付穴と取付穴に挿通されるボルトとナットで構成される第二係合部材12が設けられる。
【００１６】
なお、この実施例ではガイド溝７は側部３の前端部より後端部にかけて下り傾斜にするとともに、その両端部には垂直状に係止溝7a，7bが形成され、背凭れ部５を起立させる際にはピン８を係止溝7aに導き、背凭れ部５を倒立させる際にはピン８を係止溝7bに導いて背凭れ部５の揺動を防止するようにしている。
【００１７】
以上のような構成において、この発明に係わる子供乗せ装置は自転車の後部座席ａに足載せ部ｂと共に取り付けられるが、使用に際しては背凭れ部５がピン８を支点として回動して座席部１の後端部４に沿って起立させ、また起立する際に当接する第一当接部9a，9bは第一係合部材10で固定する。
【００１８】
また、荷籠として使用する場合は、背凭れ部５がピン８を支点として反対方向に回動して倒立させて座席部１の前端部を塞ぐようにし、この際当接する第二当接部11a，11bは第二係合部材12で固定する。
【００１９】
なお、上述のように背凭れ部５を倒立させる際に座席部１の前方に起立するハンドル部13がこれを妨害することになるが、このためこの実施例ではハンドル部13は下端の基部14より斜め下方向に支持片15が設けられ、支持片15の内部にはその長さ方向に沿ってガイド孔16が形成される。
【００２０】
また、底部２の前端に取付けられるハンドル保持部17にはその上端に基部14の受部18が設けられ、その内部には支持片15のポケット部19が形成され、更にポケット部19の上端から前端上部に掛けて開口部20が形成される。
【００２１】
更に、ポケット部19の上部には支持片15のガイド孔16に挿着されるピン21が設けられ、支持片15はピン21に導かれてポケット部19に挿入され、またピン21に導かれてポケット部19より引き出され、開口部20に沿って前方に引き倒されるようにしてある。
【００２２】
また、先端に爪部22ａを有する係止板22が基部14に設けられ、爪部22ａの係止部23をハンドル保持部17に設けてあり、ハンドル部13を座席部１の前方に起立させる際には爪部22ａと係止部23が係止状態にしてある。
【００２３】
背凭れ部５を倒立させる際には、爪部22ａと係止部23の係止状態を解除して支持片15をポケット部19より引き出し、開口部20に沿ってハンドル部13を前側に引き倒す（図４参照）。
【００２４】
これにより座席部１の前方が広がり、したがってハンドル部13に妨害されることなく、背凭れ部５を倒立させることができる（図５参照）。その後、ハンドル部13を起立させ（図６参照）、支持片15をポケット部19内に装着させる（図７参照）。
【００２５】
【発明の効果】
以上要するに、この発明によれば極めて簡単な操作により自転車の後部座席に取り付けられる子供乗せ装置を荷籠にすることができるため、子供を乗せない場合には荷籠として利用できる子供乗せ装置を提供できる。
【図面の簡単な説明】
【図１】この発明における一実施例を示す子供乗せ装置の斜視図
【図２】同上の実施例において背凭れ部を倒立して荷籠とした状態を示す斜視図
【図３】同上の実施例において自転車の後部座席部に取付けられた状態を示す側面図
【図４】同上の実施例において背凭れ部を倒立する手順の第一段階を示す図
【図５】同上の実施例において背凭れ部を倒立する手順の第二段階を示す図
【図６】同上の実施例において背凭れ部を倒立する手順の第三段階を示す図
【図７】同上の実施例において背凭れ部を倒立する手順の第四段階を示す図
【図８】同上の実施例において背凭れ部を倒立する手順を示すもので、（Ａ）はハンドル部をハンドル保持部に設置された状態を示す図、（Ｂ）はハンドル部をハンドル保持部から引き抜いた状態を示す図、（Ｃ）はハンドル部を前側に引き倒した状態を示す図
【図９】同上の実施例においてハンドル部の基部とハンドル保持部との関係を示す一部欠切した側面図
【符号の説明】
１は座席部
２は底部
3，3は側部
４は後端部
５は背凭れ部
6，6は支持片
７はガイド溝
7a，7bは係止溝
８はピン
9a，9bは第一当接部
10は第一係合部材
11a，11bは第二当接部
12は第二係合部材
13はハンドル部
14は基部
15は支持片
16はガイド孔
17はハンドル保持部
18は受部
19はポケット部
20は開口部
21はピン
22は係止板
22ａは爪部
23は係止部
【図１】
0003656619.tif 000002
【図２】
0003656619.tif 000003
【図３】
0003656619.tif 000004
【図４】
0003656619.tif 000005
【図５】
0003656619.tif 000006
【図６】
0003656619.tif 000007
【図７】
0003656619.tif 000008
【図８】
0003656619.tif 000009
【図９】
0003656619.tif 000010